(57)【要約】【課題】本発明は、本体１２と、揺動部分９６，９８と、本体１２と揺動部分９６，９８との間に配置されたホイール９２，９４とを具備するシリンダ型真空掃除機に関する。【解決手段】揺動部分９６，９８は、本体１２に対して固定されており、ホイール９２，９４は、本体１２に対して回転可能とされる。ホイール９２，９４は、真空掃除機１０が直立姿勢とされる場合に清浄すべき表面に接触し、揺動部分９６，９８は、真空掃除機１０が直立姿勢から転倒した場合に清浄すべき表面に接触するので、真空掃除機１０は、揺動部分９６，９８を揺動させることができる。真空掃除機１０は、真空掃除機１０が直立姿勢から転倒した場合に直立姿勢に復帰するように付勢されるように配置されている。【選択図】図１３
2019072487.tif 000002
【特許請求の範囲】
【請求項１】
本体と、揺動部分と、前記本体と前記揺動部分との間に配置されているホイールと、を備えているシリンダ型真空掃除機において、
前記揺動部分が、前記本体に対して固定されており、
前記ホイールが、前記本体に対して相対的に回転可能とされ、
前記ホイールが、前記シリンダ型真空掃除機が直立姿勢とされる場合に、清浄すべき表面に接触しており、
前記シリンダ型真空掃除機が前記直立姿勢から転倒した場合に、前記シリンダ型真空掃除機が前記揺動部分を揺動するように、前記揺動部分が前記清浄すべき表面に接触し、
前記シリンダ型真空掃除機が、前記シリンダ型真空掃除機が前記直立姿勢から転倒した場合に、前記直立姿勢に復帰するように構成されていることを特徴とするシリンダ型真空掃除機。
【請求項２】
前記シリンダ型真空掃除機が、前記シリンダ型真空掃除機が前記直立姿勢から転倒した場合に前記ホイールが前記清浄すべき表面に接触しないように構成されていることを特徴とする請求項１に記載のシリンダ型真空掃除機。
【請求項３】
前記シリンダ型真空掃除機が、前記シリンダ型真空掃除機が前記直立姿勢とされる場合に前記揺動部分が前記清浄すべき表面に接触しないように構成されていることを特徴とする請求項１又は２に記載のシリンダ型真空掃除機。
【請求項４】
前記揺動部分が、ドーム状に形成されていることを特徴とする請求項１〜３のいずれか一項に記載のシリンダ型真空掃除機。
【請求項５】
前記ホイール及び／又は前記本体が、前記揺動部分の内部に向かって延在していることを特徴とする請求項４に記載のシリンダ型真空掃除機。
【請求項６】
前記ホイールが、ドーム状に形成されており、前記揺動部分の内部に向かって延在していることを特徴とする請求項４又は５に記載のシリンダ型真空掃除機。
【請求項７】
前記本体が、前記ホイールの内部に向かって延在していることを特徴とする請求項６に記載のシリンダ型真空掃除機。
【請求項８】
前記ホイールの少なくとも一部分が、前記本体と共に滑らかな表面を形成していることを特徴とする請求項１〜７のいずれか一項に記載のシリンダ型真空掃除機。
【請求項９】
前記ホイールの少なくとも一部分が、前記揺動部分と共に滑らかな表面を形成していることを特徴とする請求項１〜８のいずれか一項に記載のシリンダ型真空掃除機。
【請求項１０】
前記ホイールのリムを除く前記ホイールの全体が、前記揺動部分によって隠されていることを特徴とする請求項１〜９のいずれか一項に記載のシリンダ型真空掃除機。
【請求項１１】
前記シリンダ型真空掃除機が、前記本体の側面それぞれに配置されている一組のホイールを備えていることを特徴とする請求項１〜１０のいずれか一項に記載のシリンダ型真空掃除機。
【発明の詳細な説明】
【技術分野】
【０００１】
本発明は、シリンダ型真空掃除機に関する。
【背景技術】
【０００２】
シリンダ型真空掃除機は、一般に、塵埃を含む空気流をシリンダ型真空掃除機に引き込むためのモータ駆動式ファンユニットを収容する本体と、例えばサイクロン式分離器又はバッグのような、空気流から塵埃を分離させるための分離装置とを備えている。塵埃を含む空気流は、吸引ホースと本体に接続されているワンド組立体とを通じて本体に案内される。シリンダ型真空掃除機の本体は、利用者が部屋を移動する際にホースを介して引き回される。清浄ツールは、ホース及びワンドの集合体の遠位端に取り付けられている。
【０００３】
利用時に直立姿勢から転倒した場合に直立姿勢に自動復帰する、すなわち自立式のシリンダ型真空掃除機を利用することは、以前から提案されている。特許文献１には、このような自立式のシリンダ型真空掃除機の一例が開示されている。
【先行技術文献】
【特許文献】
【０００４】
【特許文献１】国際公開第２０１３／１９０３０６号パンフレット
【発明の概要】
【発明が解決しようとする課題】
【０００５】
本発明の第１の実施態様では、本体と、揺動部分と、本体と揺動部分との間に配置されているホイールと、を備えているシリンダ型真空掃除機において、揺動部分が、本体に対して固定されており、ホイールが、本体に対して相対的に回転可能とされ、ホイールが、シリンダ型真空掃除機が直立姿勢とされる場合に、清浄すべき表面に接触しており、揺動部分が、シリンダ型真空掃除機が直立姿勢から転倒した場合に、シリンダ型真空掃除機が揺動部分を揺動するように清浄すべき表面に接触し、シリンダ型真空掃除機が、シリンダ型真空掃除機が直立姿勢から転倒した場合に、直立姿勢に復帰するように構成されていることを特徴とするシリンダ型真空掃除機が提供される。
【０００６】
本発明の第１の実施態様におけるシリンダ型真空掃除機は、原理的に優位である。当該シリンダ型真空掃除機が、本体と、揺動部分と、本体と揺動部分との間に配置されているホイールとを備えており、且つ、揺動部分が、本体に対して固定されており、ホイールが、本体に対して回転可能とされ、ホールが、シリンダ型真空掃除機が直立姿勢とされる場合に清浄すべき表面に接触し、揺動部分が、シリンダ型真空掃除機が直立姿勢から転倒した場合に清浄すべき表面に接触し、これによりシリンダ型真空掃除機が、揺動部分を揺動することができるからである。
【０００７】
特にホイールが、真空掃除機が直立姿勢とされる場合に清浄すべき表面に接触するので、揺動部分は、真空掃除機が直立姿勢とされる場合に清浄すべき表面に接触する必要がない。このことは、揺動部分が直立姿勢における真空掃除機の重量を支持可能である必要がないことを意味する。従って、揺動部分は、従来技術として知られている構成より薄肉の材料層から形成されている場合がある。従って、揺動部分を形成する材料の量がより少なくなるので、製造コストが安くなる。さらに、揺動部分は、真空掃除機が直立姿勢とされる場合に清浄すべき表面に接触する必要がないので、揺動部分は、従来技術に基づく構成より小さい（すなわち小さい直径を有している）。従って、揺動部分を形成するために必要な材料の量が少なくなり、揺動部分の製造コストが低減される。
【０００８】
ホイールは、本体と揺動部分との間に配置されているので、ホイールの見た目が魅力的である必要がない。これにより、安価なプラスチック材料をホイールに利用することができるので、製造コストを低減させることができる。
【０００９】
さらに、ホイールを本体と揺動部分との間に配置させることによって、開口部を具備するホイールを形成することができる。揺動部分が、ホイールを介した塵埃の進入を防止するために、効果的にホイールを覆うからである。これにより、少量の材料のりようによってホイールを形成することができるので、製造コストを低減すると共にホイールを軽量化することができる。
【００１０】
ホイールは、揺動部分に対して回転可能とされ、例えば揺動部分に対して自在に回転可能とされる。ホイールと本体及び／又は揺動部分との間には、間隙が存在する。
【００１１】
ホイールは、ホイールが本体、例えば本体の側面と揺動部分との間に配置されるように、本体に取り付けられている。揺動部分が、ホイールの少なくとも一部分を覆っており、例えばホイールの略全体を覆っている。
【００１２】
シリンダ型真空掃除機は、シリンダ型真空掃除機が直立姿勢から転倒した場合に、例えば揺動部分が清浄すべき表面に接触した場合に、ホイールが清浄すべき表面に接触しないように構成されており、及び／又は、シリンダ型真空掃除機が直立姿勢とされる場合に、例えばホイールが清浄すべき表面に接触した場合に、揺動部分が清浄すべき表面に接触しないように構成されている。このことは、優位である。シリンダ型真空掃除機が直立姿勢から転倒した場合に、ホイールが揺動部分の自立機能を阻害せず、及び／又は、シリンダ型真空掃除機が直立姿勢とされる場合に、揺動部分がホイールの移動機能を阻害しないからである。これにより、シリンダ型真空掃除機のスムーズな操作が可能となり、利用者が利用時にシリンダ型真空掃除機の位置を正すために干渉する必要が無くなるからである。
【００１３】
さらに、真空掃除機が直立姿勢から転倒した場合に直立姿勢に復帰しないという好ましくない状況では、ホイールを利用して真空掃除機を移動させることができない。そして、揺動部分が本体に対して固定されている場合には、利用者は、真空掃除機を清浄すべき表面に沿って移動させるために、真空掃除機を揺動部分に沿って引き回す必要がある。このことは、真空掃除機が直立姿勢に復帰していないという触覚フィードバックを利用者に提供する。これにより、利用者は、真空掃除機を直立姿勢に復帰させることによって清浄すべき表面の損傷を防止するために介入することができる。
【００１４】
ホイールの少なくとも一部分、例えばホイールのリムの少なくとも一部分が、真空掃除機が直立姿勢とされる場合に、本体の最下縁部及び／又は揺動部分の最下縁部の下方に延在している。このことは、真空掃除機が直立姿勢においてホイールの少なくとも一部分に支持される点において優位である。
【００１５】
直立姿勢は、真空掃除機がホイールによって支持されている姿勢、及び／又は、真空掃除機が揺動部分によって支持されていない姿勢とされる。転倒姿勢は、真空掃除機がホイールによって支持されていない姿勢、及び／又は、真空掃除機が揺動部分によって支持されている姿勢とされる。
【００１６】
ホイールの少なくとも一部分が、本体と共に実質的に滑らかな面を形成している。このことは、真空掃除機が直立姿勢から転倒した場合にホイールが真空掃除機の自立機能を阻害しない点において優位である。ホイールの縁部が、本体の縁部と一直線になっておらず、例えば本体の縁部に対して奥まっている場合がある。ホイールリムは、本体と共に実質的に滑らかな面を形成している。ホイールリムの略全体、例えば真空掃除機が直立姿勢とされる場合に本体の最下縁部及び／又は揺動部分の最下縁部の下方に延在しているリムの部分を除く、ホールリムの全体が、本体と共に実質的に滑らかな面を形成している。ホイールの少なくとも一部分が、真空掃除機が転倒姿勢とされる場合に、本体と共に実質的に滑らかな面を形成している。
【００１７】
本体は、ホイールに隣接している略円状の縁部を備えており、略円状の縁部は、ホイールの最大半径より大きい最大半径を備えている。略円状の縁部によって境界が形成されている表面の中心点は、ホイールの中心点と略一致している。ホイールの回転軸線は、略円状の縁部によって境界が形成されている表面の中心点を貫通して延在している。略円状の縁部は、例えば本体の最下縁部の直線状の縁が本体の最下縁部において直線状縁部に連通するように、本体の下側領域において切頭されている。本体の略円状の縁部が、略平坦な形態に維持されている。
【００１８】
ホイールは、略ドーム状の形態とされ、例えば球状キャップを備えている。ホイールは、実質的に中空な内部に向かって延在している。本体の少なくとも一部分が、実質的に中空な内部に向かって延在している。例えば本体がホイールの領域において略ドーム状の表面を備えている。このことは、本体の内部空間が大きくなり、例えば真空掃除機の内蔵部品がホイールの内部に収容可能となる点において優位である。
【００１９】
ホイールの少なくとも一部分が、揺動部分と共に実質的に滑らかな面を形成している。このことは、真空掃除機が直立姿勢から転倒した場合にホイールが真空掃除機の自立機能を阻害しない点において優位である。ホイールリムは、揺動分と共に実質的に滑らかな面を形成している。ホイールリムの略全体、例えば真空掃除機が直立姿勢とされる場合に本体の最下縁部及び／又は揺動部分の最下縁部の下方に延在しているリムの部分を除く、ホールリムの全体が、揺動部分と共に実質的に滑らかな面を形成している。ホイールの少なくとも一部分が、真空掃除機が転倒姿勢とされる場合に、揺動部分と共に実質的に滑らかな面を形成している。
【００２０】
揺動部分は、例えば揺動部分が球状キャップを備えているように、略ドーム状の球の形態とされる。このことは、真空掃除機が揺動部分を揺動させることが可能となる点、及び／又は真空掃除機の自立性能が高められる点において優位である。揺動部分は、例えばホイールの少なくとも一部分及び／又は本体の少なくとも一部分が揺動部分の内部に延在するように、略中空の形態とされる。このことは、シリンダ型真空掃除機の内蔵部品をホイール及び／又は揺動部分の内部に収容することができる点において優位である。
【００２１】
ホイールの略全体が、揺動部分によって隠されている。例えば、ホイールリムを除くホイールの略全体が、揺動部分によって隠されている。このことは、揺動部分がホイールを効果的に覆うので、ホイールに開口部を形成可能となる点において優位である。これにより、ホイールは、少量の材料を利用して形成可能とされるので、製造コストが低減されると共にホイールが軽量化される。さらに、ホイールの略全体が揺動部分によって隠されているので、ホイールの見た目を良くする必要が無くなる。これにより、安価なプラスチック材料をホイールに利用することができるので、製造コストが低減される。ホイールには、少なくとも１つの開口部が形成されている。
【００２２】
シリンダ型真空掃除機は、本体に対して固定されているさらなる揺動部分と、さらなる揺動部分と本体との間に配置されているさらなるホイールとを備えている。さらなる揺動部分とさらなるホイールとが、揺動部分及びホイールの反対側に位置する本体の側面に配置されている。このことは、直立姿勢においてバランスされた構成を提供する点、及び／又は転倒姿勢において真空掃除機を両側に揺動させることができる点において優位である。
【００２３】
さらなる揺動部分とさらなるホイールとは、揺動部分及びホイールと略同一の特性を有している。直立姿勢は、シリンダ型真空掃除機がホイール及びさらなるホイールのうち少なくとも１つによって支持されている姿勢、及び／又は、シリンダ型真空掃除機が揺動部分及びさらなる揺動部分のいずれによっても支持されていない姿勢とされる。転倒姿勢は、シリンダ型真空掃除機がホイール及びさらなるホイールのいずれによっても支持されていない姿勢、及び／又は、シリンダ型真空掃除機が揺動部分及びさらなる揺動部分のうち少なくとも１つによって支持されている姿勢とされる。
【００２４】
本発明について良好に理解すると共に本発明の原理を一層明確に示すために、本発明について添付図面を参照しつつ説明する。
【図面の簡単な説明】
【００２５】
【図１】本発明の第１の実施態様におけるシリンダ型真空掃除機の分解斜視図である。
【図２】図１に表わすシリンダ型真空掃除機の本体の前方斜視図である。
【図３】図２に表わす本体の後方斜視図である。
【図４】フィルタ組立体を取り外した状態における図２に表わす本体の上面図である。
【図５】図２の表わす本体の一部分を拡大した上面図である。
【図６】分離装置を取り付けた状態における図２に表わす本体の前方斜視図である。
【図７】フィルタ組立体を挿入した状態における図２に表わす本体の上面図である。
【図８】図１に表わすシリンダ型真空掃除機のホイールの斜視図である。
【図９】ホイール及び揺動部分を取り外した状態における図１に表わすシリンダ型真空掃除機の本体の側面図である。
【図１０】ホイール及び揺動部分を取り外した状態における図１に表わすシリンダ型真空掃除機の本体の正面図である。
【図１１】図１に表わすシリンダ型真空掃除機の揺動部分の斜視図である。
【図１２】本体の最上面を省略した図２に表わす本体の上面図である。
【図１３】直立姿勢である図１に表わすシリンダ型真空掃除機の本体及び分離装置の正面図である。
【図１４】転倒姿勢である図１３に表わす本体及び分離装置の後面図である。
【図１５】図１４に示す破線領域の拡大図である。
【発明を実施するための形態】
【００２６】
図１は、本発明におけるシリンダ型真空掃除機１０の概略図である。
【００２７】
シリンダ型真空掃除機１０は、本体１２と分離器１４と可撓性ホース１６とワンド組立体１８と掃除機ヘッド２０とを備えている。分離器１４と可撓性ホース１６とワンド組立体１８と掃除機ヘッド２０とについては、従来技術に基づくものであるので、本明細書では詳述しないが、言うまでもなく、分離器１４は、分離器１４の下面に形成された汚染空気入口（塵埃を含む空気を吸い込むための入口）を具備すると共に清浄空気出口（浄化された空気を排出するための出口）を具備するサイクロン式分離器である。本明細書ではサクロン式分離器を利用するが、他の形態の分離器を利用しても、本発明の技術的効果を発揮させることができることもある。
【００２８】
図２〜図５は、シリンダ型真空掃除機１０の他の構成部品が取り外された状態の本体１２を表わす。本体１２は、略球状の中空形態とされ、分離器凹所２２と汚染空気入口組立体２４と清浄空気入口開口部２６とフィルタ組立体凹所２８と清浄空気出口組立体３０とハンドル３２と平坦な下面３４とを備えている。
【００２９】
分離器凹所２２は、分離器１４の一部分が図６に表わすように分離器凹所２２から上方に突出するように、分離器１４を受容することができる形状及び寸法とされる。分離器１４は分離器凹所２２から外方に延在しているが、本体１２と分離器１４とを組み合わせた形状の全体が略球状の形態とされる。
【００３０】
汚染空気入口組立体２４は、ワンド組立体コネクタ３６と汚染空気入口ダクト３８とを備えている。ワンド組立体コネクタ３６は、接続本体を備えており、当該接続本体には、スロット４０が形成されている。スロット４０は、ワンド組立体１８の対応する部分を受容可能とされる形状及び寸法とされる。汚染空気入口ダクト３８は、接続本体から突出している中空の円筒状突起すなわち栓を備えている。汚染空気入口ダクト３８は、分離器１４の対応する汚染空気入口の内部に受容可能とされる形状及び寸法とされる。分離器１４が本体１２に取り付けられた場合に、汚染空気入口ダクト３８は、分離器１４を支持すると共に流体を分離器１４に供給するように機能する。
【００３１】
清浄空気入口開口部２６は、分離器凹所２２の湾曲面に形成されており、メッシュ４２によって覆われている。清浄空気入口開口部２６は、分離器１４が本体１２に取り付けられた場合に分離器１４の清浄空気出口からの空気を受容することができる形状及び寸法とされる。清浄空気入口開口部２６は、本体１２の内部に取り付けられているモータ駆動式ファンユニット１１４と流通している。
【００３２】
フィルタ組立体凹所２８は、分離器凹所２２の湾曲面に形成されており、清浄空気入口開口部２６から離隔して配置されている。フィルタ組立体凹所２８は、取り外し可能とされるフィルタ組立体４４を受容することができる形状及び寸法とされ、図７は、挿入位置に位置するフィルタ組立体４４を表わす。
【００３３】
清浄空気出口組立体３０は、本体１２から延在している出口ダクト８６と、出口ダクト８６に形成されている出口開口部８８とを備えている。出口ダクト８６は、ワンド組立体コネクタ３６と一体に形成されているが、ワンド組立体コネクタ３６と流通している。出口ダクト８６は、フィルタ組立体４４がフィルタ組立体凹所２８の内部に配置された場合にフィルタ出口と流通するようになっている。必要であれば、出口ダクト８６は、例えば音響発泡体のような、適切なノイズを除去することができる材料で充填されている場合がある。出口ダクト８６の下面には、シリンダ型真空掃除機１０を支持及び移動させるためのキャスターホイール９０が設けられている。
【００３４】
ハンドル３２は、湾曲しており、本体１２の最後方面に配置されている。本体１２は、シリンダ型真空掃除機１０が直立姿勢から後方に転倒した場合に、ハンドル３２を中心として揺動可能とされる。
【００３５】
平坦な下面３４は、シリンダ型真空掃除機１０が直立姿勢とされる場合に清浄すべき表面に対して略平行とされる。平坦な下面３４の最後方縁部には、シリンダ型真空掃除機１０を支持及び移動させるためのローラ９１が設けられている。
【００３６】
第１のホイール９２及び第２のホイール９４、並びに第１の揺動部分９６及び第２の揺動部分９８が、シリンダ型真空掃除機１０の両側面において、シリンダ型真空掃除機１０の外部に取り付けられている。
【００３７】
第１のホイール９２と第２のホイール９４とは同一の形状とされる。第１のホイール９２と第２のホイール９４とは、略ドーム状の形態とされる。図８は、ホイール単体を表わす。第１のホイール９２と第２のホイール９４とは、本体１２の側面１００，１０２それぞれに回転可能に取り付けられている。図９及び図１０に表わすように、側面１００，１０２は同一の形状とされる。
【００３８】
側面１００，１０２は、略ドーム状の形態とされ、第１のホイール９２と第２のホイール９４が本体１２に取り付けられた場合に、第１のホイール９２及び第２のホイール９４それぞれの中空内部に向かって延在している。側面１００，１０２は、湾曲縁部１０４と、本体１２の平坦な下面３４の縁部を形成している下側直線状縁部１０６とを有している。図１０に表わすように、側面１００，１０２は、シリンダ型真空掃除機１０が直立姿勢とされる場合に、清浄すべき表面に対して傾斜しており、シリンダ型真空掃除機１０が直立姿勢とされる場合に、清浄すべき表面に向かって面している。
【００３９】
第１のホイール９２と第２のホイール９４とは、側面１００，１０２それぞれより小さい半径を有しており、シリンダ型真空掃除機１０が直立姿勢とされる場合に、第１のホイール９２及び第２のホイール９４の回転軸線が清浄すべき表面に対して傾斜しているように、側面１００，１０２に取り付けられている。第１のホイール９２と第２のホイール９４とは、ドーム状の第１のホイール９２及び第２のホイール９４の頂点とドーム状の側面１００，１０２の頂点とにおいて、側面１００，１０２に取り付けられている。
【００４０】
第１のホイール９２と第２のホイール９４とは、第１のホイール９２及び第２のホイール９４のリム９３が側面１００，１０２の湾曲縁部１０４と共に実質的に滑らかな面を形成するように、且つ、第１のホイール９２及び第２のホイール９４のリム９３が側面１００，１０２の下側直線状縁部１０６より下方に延在するように、側面１００，１０２に取り付けられている。実質的に滑らかな面を形成するような取り付けは、図１５に最も良好に表わされている。これにより、直立姿勢の場合にホイール９２，９４によってシリンダ型真空掃除機１０を支持することができるが、シリンダ型真空掃除機１０が直立姿勢から転倒した場合に、シリンダ型真空掃除機１０の自立機能に対する妨げが解消される。
【００４１】
第１のホイール９２と第２のホイール９４とは、複数の開口部１０８を備えているので、第１のホイール９２及び第２のホイール９４を形成するために必要とされる材料の量が低減される。これにより、第１のホイール９２及び第２のホイール９４の製造コストを低減することができる。
【００４２】
第１の揺動部分９６と第２の揺動部分９８とは略同一のドーム状の形態とされる。図１１は、揺動部分単体を表わす。第１の揺動部分９６と第２の揺動部分９８とは、例えば第１の揺動部分９６と第２の揺動部分９８とが本体１２に対して相対的に回転することができないように、本体１２の側面１００，１０２に固定された状態で取り付けられている。側面１００，１０２と第１のホイール９２及び第２のホイール９４とは、第１の揺動部分９６及び第２の揺動部分９８それぞれの中空内部に向かって延在している。第１の揺動部分９６及び第２の揺動部分９８それぞれが、湾曲縁部１１０と下側直線状縁部１１２とを備えているので、第１の揺動部分９６及び第２の揺動部分９８のドーム状部分は切頭されている。
【００４３】
第１の揺動部分９６と第２の揺動部分９８とは、ドーム状の第１のホイール９２及び第２のホイール９４の頂点、第１の揺動部分９６及び第２の揺動部分９８の頂点、並びにドーム状の側面１００，１０２の頂点において、側面１００，１０２と第１のホイール９２及び第２のホイール９４とに取り付けられている。第１のホイール９２及び第２のホイール９４のリム９３は、第１の揺動部分９６及び第２の揺動部分９８の湾曲縁部１１０と共に実質的に滑らかな面を形成しており、第１のホイール９２及び第２のホイール９４のリム９３は、第１の揺動部分９６及び第２の揺動部分９８の下側直線状縁部１１２の下方に延在している。実質的に滑らかな面を形成するような取り付けは、図１５に最も良好に表わされている。これにより、直立姿勢の場合にホイール９２，９４によってシリンダ型真空掃除機１０を支持することができるが、シリンダ型真空掃除機１０が直立姿勢から転倒した場合に、シリンダ型真空掃除機１０の自立機能に対する妨げが解消される。
【００４４】
ドーム状の第１の揺動部分９６及び第２の揺動部分９８は、本体１２の球状の度合いを高めるので、シリンダ型真空掃除機１０が直立姿勢から転倒した場合であっても、すなわちシリンダ型真空掃除機１０が第１のホイール９２及び第２のホイール９４によって支持されていない場合であっても、シリンダ型真空掃除機１０が第１の揺動部分９６及び第２の揺動部分９８を揺動することができる。これにより、シリンダ型真空掃除機１０の重心を可能な限り低くすることと相まって、シリンダ型真空掃除機１０を自立させることができる。すなわち、シリンダ型真空掃除機１０を自動的に直立姿勢に、例えばシリンダ型真空掃除機１０が利用の際に直立姿勢から転倒した場合にシリンダ型真空掃除機１０が第１のホイール９２及び第２のホイール９４によって支持される姿勢に復帰させることができる。
【００４５】
利用の際に分離器１４を通過する空気流を発生させるためのモータ駆動式ファンユニット１１４と、電気ケーブルを本体１２の内部に牽引及び収納するためのケーブル巻き戻しユニット（図示しない）と、シリンダ型真空掃除機１０を制御するための適切な制御電子回路１１８が、本体１２の内部に取り付けられている。
【００４６】
モータ駆動式ファンユニット１１４とケーブル巻き戻しユニットについては、従来技術に基づくものなので、本明細書では詳述しない。
【００４７】
モータ駆動式ファンユニット１１４は比較的重いので、モータ駆動式ファンユニット１１４を分離器１４の下方に配置させることによって、シリンダ型真空掃除機１０の重心を比較的低くすることができる。その結果として、シリンダ型真空掃除機１０の安定性が改善される。さらに、シリンダ型真空掃除機１０の取り扱い及び操作がさらに容易になる。モータ駆動式ファンユニット１１４及び／又はシリンダ型真空掃除機１０の他の構成部品は、利用の際にシリンダ型真空掃除機１０が第１の揺動部分９６及び第２の揺動部分９８のうち一方の揺動部分に向かって転倒した場合であっても、シリンダ型真空掃除機１０が自身の直立姿勢に復帰するように付勢されるように配置されている。このことは、本体１２を低重心化することによって、例えばモータ駆動式ファンユニット１１４を適切に配置することによって実現される。
【００４８】
利用の際には、様々な構成部品が本体１２に取り付けられる。利用者は、本体１２のボタンを押すことによって、モータ駆動式ファンユニット１１４がシリンダ型真空掃除機１０を通過する吸入流れを発生させることができるので、シリンダ型真空掃除機１０の操作を開始することができる。空気は、掃除機ヘッド２０の内部に引き込まれ、ワンド組立体１８及び可撓性ホース１６を通過して、汚染空気入口ダクト３８を介して分離器１４の内部に到達する。
【００４９】
塵埃は、分離器１４によって空気流から取り除かれ、清浄空気が、分離器１４から、清浄空気入口開口部２６を介して、本体１２に内蔵されているモータ駆動式ファンユニット１１４に到達する。
【００５０】
複数の抽気口が、モータ駆動式ファンユニット１１４のハウジングに形成されており、当該抽気口は、モータ駆動式ファンユニット１１４のモータの前方に配置されている。抽気口は、負の空気圧を本体１２の内部に発生させるので、空気が、例えば（図９に表わすように）本体１２の側面１００，１０２に形成されている通気口１２を介して、又は本体１２のケーブル入口１２４（図３参照）を介して、本体１２の内部に引き込まれる。通気口１２２は第１のホイール９２及び第２のホイール９４の下方に配置されているので、開口部１０８を第１のホイール９２及び第２のホイール９４に形成することによって、利用の際に空気を通気口１２２を通じて流すことができる。少なくとも幾つかの通気口１２２は、制御電子回路１１８の領域に配置されているので、本体１２の外部からモータ駆動式ファンユニット１１４のハウジングに形成された抽気口に至る空気流の少なくとも一部分が、制御電子回路１１８を冷却することができる。
【００５１】
モータ駆動式ファンユニット１１４によって排出された空気流は、フィルタ組立体４４を通過し、清浄空気出口組立体３０の出口ダクト８６及び出口開口部８８を介して大気中に排出される。
【００５２】
利用の際に、シリンダ型真空掃除機１０は、利用者が可撓性ホース１６及び／又はワンド組立体１８を引っ張ることによって、清浄すべき表面に沿って移動される。第１のホイール９２及び第２のホイール９４によって、図１３に表わすように、シリンダ型真空掃除機１０は、直立姿勢で表面に沿って移動可能とされる。シリンダ型真空掃除機１０が利用者によって引きずられている場合に十分な力がシリンダ型真空掃除機１０に作用しているならば、シリンダ型真空掃除機１０は直立姿勢から転倒し、これによりシリンダ型真空掃除機１０が第１のホイール９２及び第２のホイール９４によって全く支持されなくなる場合がある。図１４に表わすような転倒姿勢では、シリンダ型真空掃除機１０は、第１の揺動部分９６及び第２の揺動部分９８を揺動することができるので、その結果として、本体１２が低重心化され、シリンダ型真空掃除機１０は、利用者の介助を必要とすることなく、直立姿勢に復帰することができる。従って、シリンダ型真空掃除機１０は、自立式真空掃除機とみなすことができる。
【符号の説明】
【００５３】
１０  シリンダ型真空掃除機
１２  本体
１４  分離器
１６  可撓性ホース
１８  ワンド組立体
２０  掃除機ヘッド
２２  分離器凹所
２４  汚染空気入口組立体
２６  清浄空気入口開口部
２８  フィルタ組立体凹所
３０  清浄空気出口組立体
３２  ハンドル
３４  平坦な下面
３６  ワンド組立体コネクタ
３８  汚染空気入口ダクト
４０  スロット
４２  メッシュ
４４  フィルタ組立体
８６  出口ダクト
８８  出口開口部
９０  キャスターホイール
９１  ローラ
９２  第１のホイール
９３  リム
９４  第２のホイール
９６  第１の揺動部分
９８  第２の揺動部分
１００  (本体１２の）側面
１０２  (本体１２の）側面
１０４  （側面１００，１０２の）湾曲縁部
１０６  （側面１００，１０２の）下側直線縁部
１０８  （第１のホイール９２及び第２のホイール９４の）開口部
１１４  モータ駆動式ファンユニット
１１８  制御電子回路
１２２  通気口
１２４  ケーブル入口
【図１】
2019072487.tif 000003
【図２】
2019072487.tif 000004
【図３】
2019072487.tif 000005
【図４】
2019072487.tif 000006
【図５】
2019072487.tif 000007
【図６】
2019072487.tif 000008
【図７】
2019072487.tif 000009
【図８】
2019072487.tif 000010
【図９】
2019072487.tif 000011
【図１０】
2019072487.tif 000012
【図１１】
2019072487.tif 000013
【図１２】
2019072487.tif 000014
【図１３】
2019072487.tif 000015
【図１４】
2019072487.tif 000016
【図１５】
2019072487.tif 000017
【外国語明細書】
2019072487000001.pdf